(57)【要約】      （修正有）【課題】指紋認証機能を備える南京錠を提供する。【解決手段】ロック体１０内部に設けた指紋認証ユニット２０が起動スイッチ５０の動作を受けて、最低一組の使用者の指紋サンプルを記録し、並びに、操作者の指紋を読み取って事前に記録した指紋サンプルとの照合を行い、照合結果がぴったり合った場合、電力ユニット４０が電子ロック３０を起動すると、ロック体上のツル１２が開かれる。よって鍵携帯による全ての面倒を取り除くことが可能となる。【選択図】図１
0003150956.tif 000002
【実用新案登録請求の範囲】
【請求項１】
ロック体を備え、前記ロック体の内部には内設空間を設け、外部の一側面上には窓を備え、ロック体の上端の一方側にはツルを設け、ツルの一端は、ロック体の嵌入孔内に可動状態で延伸し、ロック体内部の内設空間内には、最低、指紋認証ユニット、電子ロック、及び電力ユニットの構成要素を備えており、
前記指紋認証ユニットは、対応する窓箇所に設け、且つ、起動スイッチによってコントロールされ、
前記電子ロックは、指紋認証ユニットと接続し、ツルの可動端部と嵌合定位する設計とし、
前記電力ユニットは、指紋認証ユニットと電子ロックの作動に必要な電力を供給することを特徴とする南京錠。
【請求項２】
前記指紋認証ユニットは、更に、ハードロックと連結し、前記ハードロックは挿入スロットを備え、挿入チップを挿入して制御することを特徴とする請求項１記載の南京錠。
【請求項３】
前記ロック体内の内設空間は二つの内設空間に区分することを特徴とする請求項１記載の南京錠。
【請求項４】
前記内設空間は上下の二層に分けられることを特徴とする請求項１記載の南京錠。
【請求項５】
前記上層の内設空間には最低、指紋認証ユニットを備え、下層の内設空間内には交換可能な電力ユニットを備えることを特徴とする請求項４記載の南京錠。
【考案の詳細な説明】
【技術分野】
【０００１】
本考案は、特に指紋認証機能を備える南京錠に関する。
【背景技術】
【０００２】
人類に「私有財産」の観念が生じてから、私有財産、及びグループ、個人の人身の安全を守る為に鍵の必要性が発生し、数千年来、鍵は日常生活の中で広範に使用されるだけでなく、社会の変遷と科学技術の発展に伴い、その機能は徐々に完備され、しかも、製作上の精度も向上して来ている。よって、過去においてドア、箪笥、箱にだけ使用されていた鍵の応用範囲は、今日、オフィスの引き出し、金庫、各種車両、スーツケース、公共の場にあるロッカー等まで拡大されている。
【０００３】
現有する多種の鍵の中で、南京錠（またはシリンダー錠）は使用が最も便利で、しかも最も実用性のある鍵の一つである。その構造は主に、鍵内部にシリンダーを設け、並びに外側端の一方側にチェーンを枢着し、チェーンのもう一方の端を嵌入孔内に延伸させて、施錠するものである。また、錠を開くには鍵をシリンダーに差し込み、ピンを動かし回転させると、錠が開かれる。
【０００４】
この種の公知の南京錠を使用する場合、鍵を常に携帯しなければならず、次のような欠点が存在する。
（１）鍵が多い場合、多種の鍵を携帯しなければならず、重量が重いだけでなく、持ち運びが不便であり、見た目も悪いのが主な欠点である。
（２）鍵を差し込みシリンダーを回転させた後に、初めて、施錠された嵌入孔に対する制限を解除できるのであるが、使用者は常に鍵を携帯しなければならず非常に不便で、更に、鍵を遺失や損傷して鍵を開けることができなくなる可能性を有するのがもう一つの欠点である。
（３）一般のロック具の鍵は簡単に複製でき、加えて公共の場にあるロッカー、個人のボックス等に使用するロック具の鍵は一般人が簡単に取得でき、ロック具を見知らぬ者に複製してもらった後は、相対してロック具の使用対象が盗難に遭う危険が増し、これもまた欠点の一つである。
【考案の概要】
【考案が解決しようとする課題】
【０００５】
本考案の主な目的は、内部の指紋認証ユニットによって指紋認証プロセスを完了させた後に、ロックモードから開錠モードに切り替える南京錠を提供することにある。
【０００６】
本考案のもう一つの目的は、南京錠の内部にハードロックを設け、挿入チップにより、ロック体内部の指紋データを改めて設定して変更すること、及び、強制開錠を可能にし、南京錠に繰り返し使用できる機能を持たせることにある。
【課題を解決するための手段】
【０００７】
請求項１の考案は、ロック体を備え、前記ロック体の内部には内設空間を設け、外部の一側面上には窓を備え、ロック体の上端の一方側にはツルを設け、ツルの一端は、ロック体の嵌入孔内に可動状態で延伸し、ロック体内部の内設空間内には、最低、指紋認証ユニット、電子ロック、及び電力ユニットの構成要素を備えており、前記指紋認証ユニットは、対応する窓箇所に設け、且つ、起動スイッチによってコントロールされ、前記電子ロックは、指紋認証ユニットと接続し、ツルの可動端部と嵌合定位する設計とし、前記電力ユニットは指紋認証ユニットと電子ロックの作動に必要な電力を供給することを特徴とする南京錠としている。
請求項２の考案は、前記指紋認証ユニットは、更に、ハードロックと連結し、前記ハードロックは挿入スロットを備え、挿入チップを挿入して制御することを特徴とする請求項１記載の南京錠としている。
請求項３の考案は、前記ロック体内の内設空間は二つの内設空間に区分することを特徴とする請求項１記載の南京錠としている。
請求項４の考案は、前記内設空間は上下の二層に分けられることを特徴とする請求項１記載の南京錠としている。
請求項５の考案は、前記上層の内設空間には最低、指紋認証ユニットを備え、下層の内設空間内には交換可能な電力ユニットを備えることを特徴とする請求項４記載の南京錠としている。
【０００８】
前記目的を達成する為に、本考案の「南京錠」は、主に、ロック体内部に設けた指紋認証ユニットが最低一組の使用者の指紋サンプルを記録し、並びに、操作者の指紋を読み取って事前に記録した指紋サンプルとの照合を行う。別に設けた電子ロックは、指紋認証ユニット２０のコントロールを受け、施錠または開錠を行う。
【０００９】
実施する場合、南京錠全体は、指紋認証ユニットによって最低一組の使用者の指紋サンプルが記録され、並びに、指紋認証ユニットによって操作者の指紋を読み取った後に、事前に記録した指紋サンプルと照合する。照合結果において、指紋がぴったり合うと、電子ロックが起動してロック体上のツルが開かれる。鍵使用を必要としない便利性を持ち、鍵遺失により施錠開錠が不可能となる面倒を避けることが可能である。
【考案の効果】
【００１０】
本考案の南京錠は、内部の指紋認証ユニットによって指紋認証プロセスを完了させた後に、ロックモードから開錠モードに切り替えられ、挿入チップによって指紋データの変更や強制開錠を可能にする特徴を有する。
【図面の簡単な説明】
【００１１】
【図１】本考案の前面断面図である。
【図２】本考案の外観図である。
【図３】本考案の背面断面図である。
【図４】本考案の背面下部より見た一部断面図である。
【図５】本考案の作動フローチャートである。
【考案を実施するための形態】
【００１２】
本考案の内容を明確に理解して戴く為に、以下の通り、図面を参照した説明を行う。
【００１３】
図１、図２に示す通り、本考案に開示する南京錠は主に、ロック体１０を備え、前記ロック体１０は主に、耐衝撃破壊性の強化金属により構成され、その内部には二つの内設空間１１及び内設空間１１１を設けることを最良とする。前記内設空間１１は精密な部品を置く為のもので、ロック体１０上方位置の設置を最良とする。また、別の内設空間１１１には電力ユニット４０を配置し、電力がない場合の充電または交換を便利にするもので、ロック体１０下方位置の設置を最良とする。
【００１４】
図１に示す通り、ロック体１０の前面上に窓１３を設ける。且つ、ロック体１０の上端の一方側にはツル１２を設け、ツル１２の一端は、ロック体１０の嵌入孔１４内に可動状態で延伸している。ロック体１０上方の内設空間１１内には、最低、指紋認証ユニット２０、電子ロック３０、及び電力ユニット４０の構成要素を備える。
【００１５】
前記指紋認証ユニット２０は、対応する窓１３箇所に設け、且つ、起動スイッチ５０によってコントロールを受ける。前記起動スイッチ５０は、ロック体１０の窓１３の若干上方に設けるのが最も便利であり、センサ式スイッチ、タッチ式スイッチのどちらも可能である。指紋認証ユニット２０はロック体１０内部に設け、最低一つの使用者の指紋サンプルを記録しており、操作者の指紋を読み取り事前に記録した指紋サンプルとの照合を行う。
【００１６】
電子ロック３０は、指紋認証ユニット２０と接続しており、ツル１２の可動端部と嵌合定位する設計である。電子ロック３０はモーターもしくは電磁石によって駆動され、ツル１２を位置限定させる動作を行う。
【００１７】
下方の内設空間１１１に配置した電力ユニット４０は、指紋認証ユニット２０と電子ロック３０の作動に必要な電力を供給する。電力ユニット４０は一般の乾電池でも充電式でも可能である。
【００１８】
図３、図４に示す通り、ハードロック６０は、指紋認証ユニット２０と連結し、挿入スロット６１を備える。可動的な挿入チップ７０を挿入により、指紋認証ユニット２０の指紋サンプルを変更し、並びに、強制開錠機能を備えさせる。
【００１９】
ハードロック６０及び挿入チップ７０は、公知製品を使用して技術上の操作運用を行う故、その内容については省略する。
【００２０】
図１、２、５に示す通り、本考案を使用する場合、ロック体１０内は電力ユニット４０を動力源とし、起動スイッチ５０に小さな電力を提供し、通常は電力を浪費することはない。特に、起動スイッチ５０がセンサ式スイッチである時、位置もちょうど、窓１３の上方である故、使用者の指が窓１３をプッシュすると自然に感知し、指紋認証ユニット２０がオンとなって指紋を読み取り、並びに、指紋照合作動を行う。照合結果において、指紋がぴったり合うと、電子ロック３０が起動して南京錠を開錠モードに切り替え、ロック体１０上のツル１２が開かれる。
【００２１】
本考案の南京錠は、ロック体１０、指紋認証ユニット２０、電子ロック３０及び電力ユニット４０、起動スイッチ５０の整合作動により、ただ単に指紋認証プロセスを完成させるだけで、施錠モードから開錠モードに切り替えるものであり、自転車、スーツケース、公共の場にあるロッカー等の施錠に幅広く応用することが可能で、鍵携帯の不便さを取り除き、鍵の遺失による開錠不可能という悩みを避けることができる。特に、鍵による開錠を不要としている為、鍵の複製による盗難の危険性を効果的に防止することが可能である。
【００２２】
後続する交換もしくは指紋変更内容は、ハードロック６０及び挿入チップ７０によって変更を行うが、通常は、安全な場所に保管することが可能であり、携帯が不要で、使用上における面倒はない。
【００２３】
前述において、本考案の南京錠の一実施例を提供したが、本考案は未公開である他、新規性を有し、安全性が高く、使用が便利で、産業上の利用価値に富む故、法に依拠して実用新案の出願を行う。但し、以上の実施例の説明及び図面は、本考案の良好な実施例であるだけで、本考案を制限するものではなく、よって、本考案の構造、装置、特徴などが近似するか同様の物は全て、本考案の創作目的及び実用新案請求の範囲内に包含されるものとする。
【符号の説明】
【００２４】
１０    ロック体
１１    内設空間
１１１  内設空間
１２    ツル
１３    窓
１４    嵌入孔
２０    指紋認証ユニット
３０    電子ロック
４０    電力ユニット
５０    起動スイッチ
６０    ハードロック
６１    挿入スロット
７０    挿入チップ
【図１】
0003150956.tif 000003
【図２】
0003150956.tif 000004
【図３】
0003150956.tif 000005
【図４】
0003150956.tif 000006
【図５】
0003150956.tif 000007